(57)【要約】【課題】  容器に収容された溶接ワイヤの跳ね上がりを防止するため、容器内壁面に設けられた紐の上端部を着脱自在に係止して保持状態を安定に維持することができる溶接ワイヤ収納ペイルパックを提供する。【解決手段】  円筒状容器１と、この円筒状容器１内に収納されたコイル状の溶接ワイヤ３と、この溶接ワイヤ３のコイル上に載置された押さえ板４と、この押さえ板４上に載置されたリング５と、容器１の下部に固定され容器１内面の上部に係止されると共に溶接ワイヤ３のコイルと容器１内面との間をとおりリング５の内側を経由して上方に導かれる紐６とを有し、この紐６の上端部が容器１内面に面ファスナー８により係止されるようになっている。これによって紐６の上端部は、確実に、しかも着脱自在に係止されている。【選択図】図１
2006015368.tif 000002
【特許請求の範囲】
【請求項１】
内部にコイル状の溶接ワイヤを収納し、前記溶接ワイヤのコイル上に押さえ板と更にその上にリングを配置する円筒状ペイルパック用容器に使用され、前記ペイルパック用容器の内面と前記溶接ワイヤのコイルとの間をとおり、更に前記リングの内側を通って前記ペイルパック用容器の内面の上部に係止されるペイルパック用紐において、その上端を面ファスナーにより前記ペイルパック用容器の内面に係止させるようにしたことを特徴とするペイルパック用紐。
【請求項２】
内部にコイル状の溶接ワイヤを収納するペイルパック用容器において、前記溶接ワイヤのコイル上に配置される押さえ板と、前記押さえ板の上に配置されたリングと、前記ペイルパック用容器の内面と前記溶接ワイヤのコイルとの間をとおり更に前記リングの内側を通って前記ペイルパック用容器の内面の上部に係止されるペイルパック用紐とを有し、前記紐の上端を面ファスナーにより前記ペイルパック用容器の内面に係止させるようにしたことを特徴とするペイルパック用容器。
【請求項３】
円筒状容器と、この円筒状容器内に収納されたコイル状の溶接ワイヤと、この溶接ワイヤのコイル上に載置された押さえ板と、この押さえ板上に載置されたリングと、前記容器下部に固定され前記容器内面の上部に係止されると共に前記溶接ワイヤのコイルと前記容器内面との間をとおり前記リングの内側を経由して上方に導かれる紐とを有し、前記紐の上端部が前記容器内面に面ファスナーにより係止されるようになっていることを特徴とする溶接ワイヤ収納ペイルパック。
【請求項４】
前記面ファスナーは、ループ側部材及びフック側部材を有し、前記紐の上端部にループ側部材及びフック側部材の一方が固定され、前記容器内面の上部に他方が固定されており、前記ループ側部材と前記フック側部材とを係合させることにより、前記紐の上端部が前記容器内面に係止されることを特徴とする請求項３に記載の溶接ワイヤ収納ペイルパック。
【発明の詳細な説明】
【技術分野】
【０００１】
本発明は、溶接ワイヤを容器内にループ状に積層して収容する際、溶接ワイヤがその上部に載置された押さえ板と容器内面との隙間から跳ね上がることを防止するために使用されるペイルパック用紐、この紐の上端部を着脱自在に係止したペイルパック用容器及びこのペイルパック用容器に溶接ワイヤを収納した溶接ワイヤ収納ペイルパックに関する。
【背景技術】
【０００２】
溶接ワイヤをループ状に落とし込んで収容する円筒状の容器をペイルパック用容器という。ペイルパック用容器は、溶接ワイヤを大量に収容し、使用先に輸送する場合に使用される。ペイルパック用容器には通常２００乃至５００ｋｇの大容量の溶接ワイヤが収容される。
【０００３】
ペイルパック用容器に溶接ワイヤを落とし込む際には一般にワイヤに捻りを加えながら行う方法が採用される。従って、収容したワイヤの跳ね上がりを防止するための工夫がなされている。即ち、容器内に収容した溶接用ワイヤ積層体の上部に、容器の内径よりも僅かに小さい直径を有する押さえ板を配置し、この押さえ板上に、この押さえ板の直径とほぼ同様の直径を有するリングを配置し、且つ下方端がペイルパック用容器の底部周辺部に固定され、前記溶接用ワイヤ積層体とペイルパック用容器の内面との間を上方に向かって延び、前記押さえ板の外周とペイルパック用容器の内面との隙間を抜け、押さえ板の表面で前記リングの内面をくぐり円筒容器内面に沿って上方まで延びる紐を設け、この紐が前記リングにより拘束され、前記ワイヤの外周と押さえ板の上面とを包絡し、これによってワイヤが前記押さえ板の外周とペイルパック用容器の内面との隙間から上方に跳ね上がるのが防止されている。
【０００４】
このような紐の上端部は、例えば粘着テープでペイルパック用容器内面に固定されている場合がある。
【０００５】
一方、紐の上端部を、バックルのレバー開閉動作により、ペイルパック用容器内面の上部に固定し、又は取り外しを行う方式の先行技術（実公平５−１５４９７号公報）も開示されている。
【０００６】
図９乃至図１２は、先行技術を示す説明図であり、図９はガイドテープ（紐）を有するペイルパックの斜視図、図１０は図９の紐部分に沿った縦断面図、図１１は図９の紐固定具を示す拡大図、図１２は図１１の側面図である。
【０００７】
図９において、このペイルパックは所定の高さと内径を有する外筒５１と、この外筒５１の軸芯に設けられた内筒５２とから主として構成されている。内筒５２と外筒５１との間に溶接ワイヤ５３の積層体が収納されている。溶接ワイヤ５３の上部には中央に引き出しワイヤ５９の引き出し口５４を有する押さえ板５５が載置されており、この押さえ板５５の上部周端にリング５６が載置されている。外筒５１の内周には所定間隔で紐５８が配置されており、紐５８の下端は、外筒１の底部に固定されており（図１０参照）、上端部は外筒５１の上部内面に固定された紐固定具５７によって締結されている。
【０００８】
図１１及び図１２において、紐固定具（以下、バックルという）５７は、両側に起設された三角形状の側壁６１を有する基板６０と、この基板６０の一端に回動可能に設けられたレバー６２とから主として形成されている。
【０００９】
このようなバックル５７は、例えば粘着テープ６３によってペイルパック用容器の外筒５１の内面に接着、固定されている。そして、紐５８は、バックル５７のレバー６２の開閉動作により固定し、又は取り外される。なお、テープ材部位はステッチにより固定されている。
【００１０】
紐５８は、常に緊張状態で溶接ワイヤ５３の外周を保持していると共に、周端に設けられたリング５６と協働して押さえ板５５を溶接ワイヤ５３の上部に押圧した状態にしているために、外方へ広がる力の働く捩れの与えられた溶接ワイヤ５３が外筒５１の周壁と押さえ板５５の間隙から跳ね上がるのを防止している（特許文献１、公報明細書第２頁右欄３乃至２５行、図１、図３）。
【００１１】
【特許文献１】実公平５−１５４９７号公報
【発明の開示】
【発明が解決しようとする課題】
【００１２】
しかしながら、上記粘着テープで紐の上端部をペイルパック用容器内面に貼着する技術は、容器内面の状態、即ち油の付着等に起因して接着力が低下して紐が外れる虞があり、脱落した紐が溶接ワイヤの送給を阻害するという問題点があった。
【００１３】
一方、特許文献１に開示された先行技術では、輸送時にバックルのレバーが緩み易く、紐が外れ易いという問題点があった。また、上記先行技術には粘着テープ材が薄いので、ステッチ部から破損し易く、バックルごと脱落する虞があり、脱落した紐又はバックルが溶接ワイヤの送給を阻害するという問題点があった。更に上記特許文献１に開示された先行技術には、バックルへの紐の装着が煩雑であり作業性が低下するという問題点があった。
【００１４】
本発明はかかる問題点に鑑みてなされたものであって、収容された溶接ワイヤの跳ね上がりを防止するため、ペイルパック用容器内壁面に所定間隔をもって複数配置されその上端部を確実にしかも着脱自在に係止するようにしたペイルパック用紐、この紐を備えたペイルパック用容器及びこの容器内に溶接ワイヤを収容した溶接ワイヤ収容ペイルパックを提供することを目的とする。
【課題を解決するための手段】
【００１５】
本願発明に係るペイルパック用紐は、内部にコイル状の溶接ワイヤを収納し、前記溶接ワイヤのコイル上に押さえ板と更にその上にリングを配置する円筒状ペイルパック用容器に使用され、前記ペイルパック用容器の内面と前記溶接ワイヤのコイルとの間をとおり更に前記リングの内側を通って前記ペイルパック用容器の内面の上部に係止されるペイルパック用紐において、その上端を面ファスナーにより前記ペイルパック用容器の内面に係止させるようにしたことを特徴とする。
【００１６】
本願発明に係るペイルパック用容器は、内部にコイル状の溶接ワイヤを収納するペイルパック用容器において、前記溶接ワイヤのコイル上に配置される押さえ板と、前記押さえ板の上に配置されたリングと、前記ペイルパック用容器の内面と前記溶接ワイヤのコイルとの間をとおり、更に前記リングの内側を通って前記ペイルパック用容器の内面の上部に係止されるペイルパック用紐とを有し、前記紐の上端を面ファスナーにより前記ペイルパック用容器の内面に係止させるようにしたことを特徴とする。
【００１７】
また、本願発明に係る溶接ワイヤ収納ペイルパックは、円筒状容器と、この円筒状容器内に収納されたコイル状の溶接ワイヤと、この溶接ワイヤのコイル上に載置された押さえ板と、この押さえ板上に載置されたリングと、前記容器下部に固定され前記容器内面の上部に係止されると共に前記溶接ワイヤのコイルと前記容器内面との間をとおり前記リングの内側を経由して上方に導かれる紐とを有し、前記紐の上端部が前記容器内面に面ファスナーにより係止されるようになっていることを特徴とする。
【００１８】
本願発明に係る溶接ワイヤ収納ペイルパックにおいて、前記面ファスナーは、ループ側部材及びフック側部材を有し、前記紐の上端部にループ側部材及びフック側部材の一方が固定され、前記容器内面の上部に他方が固定されており、前記ループ側部材と前記フック側部材とを係合させることにより、前記紐の上端部が前記容器内面に係止されるものであることが好ましい。
【発明の効果】
【００１９】
本願の請求項１に記載のペイルパック用紐によれば、容器内面への上端部の固定を面ファスナーで行うようにしたので、せん断方向の係止力が強く、上端部が確実に係止されて保持状態が長期間安定に維持される。また、繰返しの使用においても面ファスナーの係止力が低下することは殆どなく、紐の上端部は着脱自在に係止される。
【００２０】
本願の請求項２に記載のペイルパック用容器によれば、紐の上端部を面ファスナーによってペイルパック用容器の内面に係止させるようにしたので、紐の上端部を確実に係止できる上、必要に応じて容易に取り外すこともできるので、溶接ワイヤの落とし込み時等におけるペイルパック用容器の取り扱いが容易となる。また使用中に紐の上端部が外れることがないので、紐上端部の外れに起因するワイヤの送給不良が生じることもない。
【００２１】
本願の請求項３に記載の溶接ワイヤ収納ペイルパックによれば、紐の上端部が容器内面に面ファスナーにより係止されるようになっているので、紐の上端部を確実に、且つ着脱自在に係止することができ、溶接ワイヤの落とし込み時等におけるペイルパック用容器の取り扱いが容易となる。また使用中に紐の上端部が外れることがないので、これに起因するワイヤの送給不良が生じることもない。
【００２２】
本願の請求項４に記載の溶接ワイヤ収納ペイルパックによれば、面ファスナーを、ループ側部材及びフック側部材を有するものとし、紐の上端部にループ側部材及びフック側部材の一方が固定され、容器内面の上部に他方が固定されており、前記ループ側部材と前記フック側部材とを係合させることにより、前記紐の上端部が前記容器内面に係止されようにしたので、紐の上端部を容器内面に確実かつ脱着自在に係止することができる。
【発明を実施するための最良の形態】
【００２３】
以下、本願発明の実施の形態について添付の図面を参照して詳細に説明する。図１は、本発明の実施形態に係る溶接ワイヤ収納ペイルパックを示す斜視図、図２は図１の縦断面図、図３は、図１における紐上端部の面ファスナー部分を示す拡大平面図である。
【００２４】
図１において、溶接ワイヤ収納ペイルパック２０は、外筒１と内筒２とからなる２重缶構造をしており、外筒１と内筒２との間の空間部に溶接ワイヤ３がループ状に落とされて積層され、収容されている。
【００２５】
ループ状に積層された溶接ワイヤ３の上部には外径が外筒１の内径よりも僅かに小さく、内径が内筒２の外径よりも僅かに大きい円盤状の押さえ板４が溶接ワイヤ３を押さえるために載置されている。押さえ板４上には外筒１の内径よりも僅かに小さい直径を有する輪状で、横断面が円形のリング５が載置されている。更に、外筒１の内面には、垂直方向に延びる紐６が外筒１の周方向の３箇所（１箇所図示省略）に均等配置されている。
【００２６】
図２に示すように、紐６はその下端部がペイルパック２０の底部７に巻き込み固定されている。紐６は溶接ワイヤ３のコイル状積層体と外筒１の内面との間を上方に延び、押さえ板４と外筒１の内面との間の隙間を抜け、リング５の内面側をくぐって上端まで延びている。
【００２７】
紐６の上端部は、図３に示したように、面ファスナー８のループ側部材１１に、例えば縫合されており、この面ファスナー８のループ側部材１１は、ペイルパック２０の外筒１の内面の上部に例えばゴム系粘着剤により接着された面ファスナーのフック側部材１２に係止されている。ループ側部材１１の幅は紐６の幅よりも狭くても、同一でも、広くてもよい。また、ループ部材１１の上端部は紐６の上端部と合致していても、合致していなくてもよく、例えば上にはみ出していても、また短くてもよい。紐６と面ファスナー８のループ部材との接合は、縫合の外ステッチ止め又は接着剤による接着でもよい。
【００２８】
リング５は押さえ板４と共に下降することができ、この下降の過程で、紐６はリング５により拘束されてワイヤ３の外周と押さえ板４の上面とを包絡し、ワイヤ３が押さえ板４の外周と外筒１の内面との間の隙間から上方にはね上がってしまうことを防止している。なお、ループ側部材１１とフック側部材１２を入れ替えて使用しても差し支えない。
【００２９】
溶接ワイヤ３の落とし込み始端９はペイルパック２０の上方に引き上げられ、外筒１の上部に別の面ファスナー１６によって係止されている。即ち、溶接ワイヤ３をペイルパック用容器内にループ状に落とし込む際、落とし込み始端９はペイルパック２０の内面に沿って上方に引き上げられ、その内側に溶接ワイヤ３のコイルが収容される。そして、落とし込終了後、落とし込み始端９を内筒２側に向けて曲げ、その上に押さえ板４を置き、押さえ板４の内縁を経由して外筒１内面の上部に面ファスナー１６によって係止する。従って、ペイルパック装置においては、落とし込み始端９はペイルパック２０の内面に沿って引き上げられ、溶接ワイヤ３の積層体の上面と押さえ板４の下面との間を通り、押さえ板４と内筒２との隙間を通って上方に引き上げられ、その先端部がペイルパック２０の内面に面ファスナー１６によって係止されている。溶接ワイヤ３は落とし込み始端９のペイルパック２０内面に沿う部分と内筒２との間にループ状に積層されて収容される。このため、ペイルパック２０内の溶接ワイヤ３は落とし込み終端、即ち引き出しワイヤ１０側が容器内の上部側から順次引き出されてトーチまで送給されるが、この過程で、引き出される溶接ワイヤ３が落とし込み始端９により邪魔されて送給が阻害されたり、溶接用ワイヤ３と落とし込み始端９とが絡まったりすることはない。面ファスナー１６は例えばその長手方向を水平にして外筒１の内面の３箇所に配置され、３箇所で落とし込み始端９を係止している。
【００３０】
面ファスナー８のフック側部材１２は、例えばその幅が１０乃至５０ｍｍであり、長さは５０ｍｍ乃至２００ｍｍで、外筒１の内面周方向に沿って紐６の数に対応する数だけ接着、固定されている。一方、ループ側部材１１は、例えばその幅は１０乃至５０ｍｍ、長さは１０乃至２００ｍｍであり、紐６の上端部に取り付けられている。なお、フック側部材１２を、ペイルパック２０の外筒１の内周方向に沿って全周に設けることもできる。
【００３１】
面ファスナー８は図４に示したようにフループ側部材１１とフック側部材１２とを有する。ループ側部材１１には、図５に示したようにループ状の突起１３が設けられ、フック側部材１２には前記ループ側部材１１のループ状突起１３が係合するフック状の突起１４が設けられている。このようなループ状の突起１３を有するループ側部材１１をフック状の突起１４を有するフック側部材１２に張り合わせることにより、ループ側部材１１のループ状の突起１３とフック側部材１２のフック状の突起１４が絡み合い、これによって、紐６の上端部を外筒１の内面に係止することができる。
【００３２】
面ファスナー８は、柔軟性を有する素材により構成されているので、ペイルパック用容器内面に沿って貼着することができる。従って、例えば両面テープを用いて接着しても面ファスナーが脱落することはない。面ファスナー８のフック側部材１２及びループ側部材１１の突起物は、例えばナイロン、ポリプロピレン、ポリエステル等のプラスチックの単独材料、又は複合素材で構成される。
【００３３】
次に、上述の如く構成されたペイルパックの動作について説明する。
【００３４】
溶接ワイヤ３をペイルパック２０内にループ状に落とし込む際、例えば３本の紐６は外筒１の内面に沿って上方まで引き上げられ、面ファスナー８で係止した状態で、その内側に溶接ワイヤ３がコイル状に落とし込まれる。そして、落とし込み終了後、溶接ワイヤのコイルの上に押さえ板４を置き、その後、紐６を面ファスナー８から外し、３本の紐６をリング５の内側に通した後、リング５を押さえ板４上に載置する。その後、紐６の上端部を上方に持ち上げこの紐６の上端部に取り付けられた面ファスナーのループ部材１１を外筒１の上部内面に固定された面ファスナー８のフック側部材１２に当接させ、係止させる。これによって、リング５は押さえ板４と共に下降することができ、この下降の過程で、紐６はリング５により拘束されて溶接ワイヤ３の外周と押さえ板４の上面とを包絡し、溶接ワイヤ３が押さえ板４の外周と外筒１の内面との間の隙間から上方にはね上がってしまうことを防止する。
【００３５】
このようにして、溶接ワイヤ３が収容された未使用のペイルパック２０を、溶接に適用する際、先ず、溶接装置の近傍に２個配置する。そして落とし込み始端９がペイルパック２０の内面上部に面ファスナー１６によって固定されているので、例えば１番目に使用されるペイルパック２０の使用開始前又は使用中にその落とし込み始端９を、次に使用する２番目のペイルパック内の溶接ワイヤの落とし込み終端である引き出しワイヤと溶接して接合する。
【００３６】
ペイルパック２０内の溶接ワイヤ３は落とし込み終端側である引き出しワイヤ１０から引き出されて溶接トーチに送給される。１番目のペイルパック２０内の溶接ワイヤ３が残り少なくなり、２番目のペイルパック２０に移る際、１番目のペイルパック２０の落とし込み始端に接合された次に使用する２番目のペイルパックのワイヤの落とし込み終端が続けて引き出され、この２番目のペイルパック内の溶接ワイヤ３が溶接トーチに向けて送給される。
【００３７】
溶接ワイヤが使用されその積層高さが低くなるに従って紐６に拘束されたリング５が押さえ板４と共に下降し、ワイヤ３の跳ね上がりを防止する。
【００３８】
次に、１番目の空のペイルパック２０と３番目の未使用のペイルパック２０とを交換し、２番目のペイルパック内の溶接ワイヤが引き出されているとき、又は引き出しが中断しているときに、３番目のペイルパック内の溶接ワイヤの落とし込み終端と２番目のペイルパック２０の溶接ワイヤの落とし込み始端とを前述と同様にして接合する。このようにして、順次従前のペイルパックの落とし込み始端と次順のペイルパックの落とし込み終端とを接続して、複数のペイルパック内の溶接ワイヤが連続的に溶接トーチに送給されて溶接が行われる。
【００３９】
本実施形態によれば、紐の上端部を外筒１の上部に面ファスナー８で係止するようにしたことにより、せん断方向の係止力が強く、紐が途中で脱落することがない。また、面ファスナー８は柔軟性を有することからペイルパックの内面に対する接着性が良好で、剥がれることがないので、紐６の上端部を確実に係止することができる。従って、紐６が脱落することによる溶接ワイヤ３の送給不良等の不都合を生じることもない。更に、紐６の上端部を面ファスナー８で係止することにより、取り外しが容易で作業性が向上する。
【００４０】
また、面ファスナー８は繰返し使用可能であり、従来のバックル等に比べて安価で、ランニングコストも低い。
【００４１】
本実施形態によれば、溶接ワイヤ３の落とし込み始端９をペイルパック２０の外筒１の内面上部に面ファスナー１６で係止したことにより、前記面ファスナー１６における係止力と剥離力との関係で、溶接ワイヤ３における捻り力が解除されようとする力に対抗してその落とし込み始端を確実に係止できるとともに、溶接ワイヤが係止力よりも大きな力で引っ張られた時は、面ファスナーの係合が容易に解除されるので、ワイヤにキズ又は曲がり等の弾性変形を生じることがない。
【００４２】
本発明において、面ファスナー８のフック側部材１２又はループ側部材１１をペイルパック用容器１の内面に固定する際は、例えばゴム系粘着剤又は樹脂系接着剤が好適に使用されるが、これに限定されるものではなく、同様の接着力を有するものであれば、他の接着手段を使用することもできる。
【００４３】
本発明においてループ側部材とフック側部材を入れ替えて使用する場合も同様の扱いである。
【００４４】
本発明において、面ファスナー８におけるループ側部材１１の突起及びフック側部材１２の突起を共にループ状の突起１３とフック状の突起１４を交互に並べたものとすることができる。図６は、面ファスナー８のループ側部材１１及びフック側部材１２として、共にループ状の突起１３とフック状の突起１４をそれぞれ交互に配置したものである。このような配置とすることにより、ループ側部材１１の突起物とフック側部材１２の突起物とが絡み易くなり係合強度が向上する。この場合、両面のループ状の突起１３とフック状の突起１４が夫々対向するように配置することが好ましい。
【００４５】
本発明において、面ファスナー８におけるループ側部材１１の突起及びフック側部材１２の突起を共にフック状の突起にすることもできる。図７は、ループ側部材１１の突起及びフック側部材１２の突起を共に先端部が径方向に広がったマッシュルーム型のフック状突起１５としたものである。このような面ファスナーによっても紐６の上端部を確実に係止することができる。
【００４６】
更に、本発明において、図５に示した面ファスナー８のフック側部材１２の、先端部に釣り針状の湾曲部を有するフック状の突起１４に代えて図８に示したようにマッシュルーム型のフック状突起１５を採用することもできる。このような面ファスナーによっても紐の上端部を確実に係止することができる。
【産業上の利用可能性】
【００４７】
ペイルパック用容器内に配置される紐の上端部を面ファスナーで外筒１の内面に係止するようにした本発明のペイルパック用紐、この紐を有するペイルパック用容器及びこのペイルパック用容器内に溶接ワイヤを収容した溶接ワイヤ収容ペイルパックは、紐の上端部が確実に、しかも着脱自在に係止されるので、取り扱い性が向上し、自動溶接の分野、特に自動車製造分野等で有用である。
【図面の簡単な説明】
【００４８】
【図１】本発明の実施形態であるペイルパックを示す斜視図である。
【図２】図１の紐部分に沿った断面図である。
【図３】図１の面ファスナー部分の拡大平面図である。
【図４】本発明に適用する面ファスナーを示す図である。
【図５】面ファスナーのフック側部材及びループ側部材の突起物を示す図である。
【図６】本発明における面ファスナーの配置の変形例を示す図である。
【図７】本発明における面ファスナーの突起物の変形例を示す図である。
【図８】本発明における面ファスナーの突起物の別の変形例を示す図である。
【図９】従来技術を示す図である。
【図１０】図９の紐部分に沿った断面図である。
【図１１】図９のバックル部分の拡大図である。
【図１２】図１１側面図である。
【符号の説明】
【００４９】
１：外筒
２：内筒
３：溶接ワイヤ
４：押さえ板
５：リング
６：紐
７：底部
８：面ファスナー
９：落とし込み始端
１０：引き出しワイヤ
１１：ループ側部材
１２：フック側部材
１３：ループ状突起
１４：フック状突起
１５：マッシュルーム型フック状突起
１６：面ファスナー
１７：ゴム系接着剤
２０：ペイルパック
５１：外筒
５２：内筒
５３：溶接ワイヤ
５４：引き出し口
５５：押さえ板
５６：リング
５７：紐固定具
５８：紐
５９：引き出しワイヤ
６０：基板
６１：三角形の側壁
６２：レバー
６３：粘着テープ
【図１】
2006015368.tif 000003
【図２】
2006015368.tif 000004
【図３】
2006015368.tif 000005
【図４】
2006015368.tif 000006
【図５】
2006015368.tif 000007
【図６】
2006015368.tif 000008
【図７】
2006015368.tif 000009
【図８】
2006015368.tif 000010
【図９】
2006015368.tif 000011
【図１０】
2006015368.tif 000012
【図１１】
2006015368.tif 000013
【図１２】
2006015368.tif 000014